(57)【要約】【課題】防犯サムターンを屋内側から誤って不正操作を行った場合の操作性を良くする。【解決手段】押釦１３をプッシュ位置まで押し込んでいない状態で摘み１０に入力トルクを与える不正操作の場合に固定筒２０と周方向に係合可能な状態に支持され、正規操作の場合に固定筒２０と周方向に係合不可な解除位置への移動が許されるように配置された係合子４４を備える。固定筒２０と係合子４４の係合によって摘み１０とサムターン軸３０の回転が阻止される。固定筒２０と係合子４４は、摘み１０に与えられた入力トルクを変換して係合を解く方向の押し力を係合子４４に与える形状である。不正操作による入力トルクに抗して係合が成立している状態から押釦１３をプッシュ位置まで押し込む操作が行われる場合、押し力によって係合子４４が解除位置へ移動させられる。【選択図】図１
2020139335.tif 000002
【特許請求の範囲】
【請求項１】
押釦を待機位置から所定のプッシュ位置まで押し込んだ状態で摘みに入力トルクを与える正規操作が行われる場合、固定筒に対する前記摘みとサムターン軸の回転を許し、前記押釦を前記プッシュ位置まで押し込んでいない状態で前記摘みに入力トルクを与える不正操作が行われる場合、前記固定筒に対する前記摘みと前記サムターン軸の回転を阻止する防犯サムターンにおいて、
前記不正操作の場合に前記固定筒と周方向に係合可能な状態に支持され、前記正規操作の場合に前記固定筒と周方向に係合不可な解除位置への移動が許されるように配置された係合子を備え、
前記固定筒と前記係合子の係合によって前記摘みと前記サムターン軸の回転が阻止されるようになっており、
前記固定筒と前記係合子が、前記入力トルクを変換して前記係合を解く方向の押し力を前記係合子に与える形状であり、
前記不正操作による前記入力トルクに抗して前記係合が成立している状態から前記押釦を前記プッシュ位置まで押し込む操作が行われる場合、前記押し力によって前記係合子が前記解除位置へ移動させられることを特徴とする防犯サムターン。
【請求項２】
前記摘みの回動軸になる摘み軸と、前記押釦を前記待機位置に向けて付勢する弾性体と、
を備え、
前記押釦が、前記摘み軸に揺動可能に支持され、その揺動中心に対して前記固定筒側に揺動脚部を有するものであり、
前記押釦が前記待機位置にある場合、前記揺動脚部が、前記係合子を前記解除位置に移動させるために要する作動空間に位置し、前記押釦が前記プッシュ位置に押し込まれることにより、前記揺動脚部が前記作動空間から外れた位置まで移動させられる請求項１に記載の防犯サムターン。
【請求項３】
前記摘み軸が前記入力トルクで回転させられる場合、前記サムターン軸に対する前記摘み軸の回転量が所定量になってから前記摘み軸と前記サムターン軸を連結し、前記サムターン軸に与えられた逆入力トルクで前記サムターン軸が回転させられる場合、前記摘み軸に対する前記サムターン軸の位相を所定位相に保てるように前記サムターン軸と前記摘み軸を連結するクラッチを備え、
前記摘み軸が、可動片及び復帰ばねを保持すると共に前記可動片を直線方向に案内する収容部を有し、前記可動片が、前記揺動脚部と前記直線方向に突き合うロック位置と、前記ロック位置から後退したロック解除位置との間を移動可能に配置されており、前記復帰ばねが、前記可動片を前記ロック位置に向けて付勢するものであり、
前記固定筒が、前記不正操作の場合に前記係合子と係合する係合凹部を有し、
前記サムターン軸が、前記係合子を周方向に保持するポケット部を有し、
前記ポケット部と前記ロック位置の前記可動片が、前記所定位相の場合に前記係合子を前記解除位置に収容可能な空間を形成し、前記摘み軸の前記所定量への回転の際に前記ロック位置の前記可動片が前記係合子を前記係合凹部に入り込ませた状態に支持するようになっている請求項２に記載の防犯サムターン。
【請求項４】
前記揺動脚部が、前記直線方向と直交する方向に揺動するようになっている請求項３に記載の防犯サムターン。
【請求項５】
前記クラッチが、前記摘み軸と前記サムターン軸の一方に設けられた伝達キーと、前記一方と反対の他方に設けられたキー溝と、を有し、
前記キー溝が、周方向の中間部に位置する溝底から周方向両側に向かって深さを次第に浅くした中間底面部を有し、
前記伝達キーが、前記中間底面部との間に連結体及びクラッチばねを保持する中凹部を有し、前記連結体が、前記中間底面部との接触を維持できるように前記クラッチばねによって付勢されており、
前記摘み軸が前記入力トルクで回転させられる場合、前記クラッチが、前記伝達キーの周方向端部と前記キー溝の係合によって前記摘み軸と前記サムターン軸を連結し、前記逆入力トルクで前記サムターン軸が回転させられる場合、前記クラッチが、前記連結体と前記中間底面部の係合によって前記サムターン軸と前記摘み軸を連結するようになっている請求項３又は４に記載の防犯サムターン。
【発明の詳細な説明】
【技術分野】
【０００１】
この発明は、防犯サムターンに関する。
【背景技術】
【０００２】
一般に、住宅の屋内と屋外を仕切るドアは、ドア内に設置された箱錠と、ドアに対して室外側から操作されるシリンダ錠と、ドアに対して室内側から操作されるサムターンとを備え、シリンダ錠のキー溝に挿入されるキーの回転操作、又は、サムターンの摘みの回転操作、又は、電動モータによって、箱錠のデッドボルトを施錠位置と解錠位置との間で進退させられるようになっている。
【０００３】
従来、家屋への侵入手口として、サムターン回しと呼ばれる不正解錠方法が使用されている。サムターン回しは、ドリルによってドアに貫通孔を形成し、その貫通孔に針金を挿入し、針金の先端に設けられた折曲片をサムターンの摘みに係合させ、その針金を引くことにより、摘みを回転させて箱錠の解錠を図る手口である。
【０００４】
サムターン回しを防ぐため、押釦のプッシュ操作を行ってから摘みの回転操作を行うように構成された防犯サムターンが利用されている。防犯サムターンは、摘みの釦窓に配置された押釦を待機位置から所定のプッシュ位置まで押し込んだ状態で摘みに入力トルクを与える正規操作が行われる場合、入力トルクによる摘みとサムターン軸の回転を許し、押釦をプッシュ位置まで押し込んでいない状態で摘みに入力トルクを与える不正操作が行われる場合、固定筒と係合子の係合によって摘みとサムターン軸の回転を阻止するようになっている。一般に、サムターン軸は、箱錠のシリンダカムに直接的に、又は電動モータのロータを介して間接的に接続される。
【０００５】
例えば、特許文献１の防犯サムターンは、固定筒内に挿通されてシリンダカムに一端部が連結され、他端部が固定筒より外部に位置する回転可能なサムターン軸と、そのサムターン軸を中心として回転可能なトルク伝達筒と、そのトルク伝達筒に連結された摘みと、その摘みに形成された釦挿入孔内にスライド自在に挿入され、押し込みによってサムターン軸に連結される押釦と、トルク伝達筒とサムターン軸の相対回転時に、固定筒にサムターン軸を連結するクラッチと、サムターン軸とトルク伝達筒の相対的な回転量を制限する規制手段とを備える。押釦を所定のプッシュ位置まで押し込まずにサムターンの摘みを回転させると、トルク伝達筒がサムターン軸に対して相対回転する。その相対回転によってクラッチがサムターン軸と固定筒を連結する。このため、サムターン軸が回り止めされ、箱錠のシリンダカムまでトルクが伝達されず、デッドボルトが施錠位置又は解錠位置に保持される。また、サムターン軸に対してトルク伝達筒が所定角度相対回転すると、規制手段が作動してトルク伝達筒が回り止めされる。一方、押釦をプッシュ位置まで押し込んで摘みを回転させると、その回転がサムターン軸に伝達される。このとき、サムターン軸とトルク伝達筒が共に回転するため、クラッチが連結解除状態を維持し、サムターン軸によりシリンダカムが回転させられる。このため、デッドボルトが施錠位置又は解錠位置に移動させられる。
【先行技術文献】
【特許文献】
【０００６】
【特許文献１】特開２００７−２３７６１号公報
【発明の概要】
【発明が解決しようとする課題】
【０００７】
しかしながら、居住者が屋内側から急いでサムターンを操作することがある。このとき、焦る居住者が押釦を不十分に押し込んだ状態から摘みに入力トルクを与えてしまい、誤って不正操作を行う場合が起こり得る。この場合であっても、特許文献１の防犯サムターンは、トルク伝達筒がサムターン軸に対して回転し、クラッチがサムターン軸と固定筒を連結することになる。この連結状態になると、居住者は、摘みを回せないため、誤操作に気付く。ここで、押釦をプッシュ位置まで押し込む操作を行っても、押釦を介してサムターン軸とトルク伝達軸が連結されるだけであり、入力トルクに抵抗している固定筒とサムターン軸の連結は解除されない。このため、居住者は、摘みの回転を一旦戻して固定筒とサムターン軸の連結を解除する破目になり、操作性に不満をもってしまう。
【０００８】
上述の背景に鑑み、この発明が解決しようとする課題は、防犯サムターンを屋内側から誤って不正操作を行った場合の操作性を良くすることである。
【課題を解決するための手段】
【０００９】
上記の課題を達成するため、この発明は、押釦を待機位置から所定のプッシュ位置まで押し込んだ状態で摘みに入力トルクを与える正規操作が行われる場合、固定筒に対する前記摘みとサムターン軸の回転を許し、前記押釦を前記プッシュ位置まで押し込んでいない状態で前記摘みに入力トルクを与える不正操作が行われる場合、前記固定筒に対する前記摘みと前記サムターン軸の回転を阻止する防犯サムターンにおいて、前記不正操作の場合に前記固定筒と周方向に係合可能な状態に支持され、前記正規操作の場合に前記固定筒と周方向に係合不可な解除位置への移動が許されるように配置された係合子を備え、前記固定筒と前記係合子の係合によって前記摘みと前記サムターン軸の回転が阻止されるようになっており、前記固定筒と前記係合子が、前記入力トルクを変換して前記係合を解く方向の押し力を前記係合子に与える形状であり、前記不正操作による前記入力トルクに抗して前記係合が成立している状態から前記押釦を前記プッシュ位置まで押し込む操作が行われる場合、前記押し力によって前記係合子が前記解除位置へ移動させられる構成を採用した。
【００１０】
上記構成によれば、不正操作を行った場合、摘みに与える入力トルクで固定筒と係合子の係合が成立しているとき、その係合箇所で入力トルクの一部が変換されて、当該係合を解く方向の押し力が係合子に与えられる。この状態から押釦をプッシュ位置まで押し込めば、押し力で係合子が解除位置に移動させられて、固定筒に係合できなくなる。したがって、固定筒と係合子の係合を解除するために摘みの回転を一旦戻す操作は、不要である。このため、屋内側から誤って不正操作を行った場合の操作性が良くなる。
【００１１】
具体的には、前記摘みの回動軸になる摘み軸と、前記押釦を前記待機位置に向けて付勢する弾性体と、を備え、前記押釦が、前記摘み軸に揺動可能に支持され、その揺動中心に対して前記固定筒側に揺動脚部を有するものであり、前記押釦が前記待機位置にある場合、前記揺動脚部が、前記係合子を前記解除位置に移動させるために要する作動空間に位置し、前記押釦が前記プッシュ位置に押し込まれることにより、前記揺動脚部が前記作動空間から外れた位置まで移動させられるとよい。このようにすると、押釦を利用して係合子の解除位置への移動を阻止することできる一方、押釦をプッシュ位置まで押し込むと、係合子の解除位置への移動を許すことができる。
【００１２】
より具体的には、前記摘み軸が前記入力トルクで回転させられる場合、前記サムターン軸に対する前記摘み軸の回転量が所定量になってから前記摘み軸と前記サムターン軸を連結し、前記サムターン軸に与えられた逆入力トルクで前記サムターン軸が回転させられる場合、前記摘み軸に対する前記サムターン軸の位相を所定位相に保てるように前記サムターン軸と前記摘み軸を連結するクラッチを備え、前記摘み軸が、可動片及び復帰ばねを保持すると共に前記可動片を直線方向に案内する収容部を有し、前記可動片が、前記揺動脚部と前記直線方向に突き合うロック位置と、前記ロック位置から後退したロック解除位置との間を移動可能に配置されており、前記復帰ばねが、前記可動片を前記ロック位置に向けて付勢するものであり、前記固定筒が、前記不正操作の場合に前記係合子と係合する係合凹部を有し、前記サムターン軸が、前記係合子を周方向に保持するポケット部を有し、前記ポケット部と前記ロック位置の前記可動片が、前記所定位相の場合に前記係合子を前記解除位置に収容可能な空間を形成し、前記摘み軸の前記所定量への回転の際に前記ロック位置の前記可動片が前記係合子を前記係合凹部に入り込ませた状態に支持するようになっているとよい。このようにすると、正規操作の場合には、入力トルクによる摘みの所定量回転の際、押し力で可動片がロック解除位置へ後退させられると共に係合子が解除位置に収容されるので、クラッチで連結された摘みとサムターン軸の回転を許すことができる。また、不正操作の場合には、入力トルクによる摘みの所定量回転の際、ロック位置に制限された可動片で係合子と係合凹部の係合を実現し、摘みとサムターン軸の回転を阻止することができ、押釦をプッシュ位置まで押し込めば、摘みとサムターン軸の回転を許すことができる。また、逆入力トルクでサムターン軸が回転させられる場合には、クラッチで連結されたサムターン軸と摘みが所定位相に保たれ、可動片がロック位置に制限された状態であっても係合子が解除位置に収容されるので、サムターン軸と摘みの回転を許すことができる。
【００１３】
前記揺動脚部が、前記直線方向と直交する方向に揺動するようになっているとよい。このようにすると、ロック位置の可動片をロック解除位置へ後退させる力が揺動脚部を揺動させる方向に作用しない。このため、弾性体の付勢力による揺動脚部の移動阻止が容易になり、押釦の押し込みが重くなることを避けることができる。
【００１４】
前記クラッチが、前記摘み軸と前記サムターン軸の一方に設けられた伝達キーと、前記一方と反対の他方に設けられたキー溝と、を有し、前記キー溝が、周方向の中間部に位置する溝底から周方向両側に向かって深さを次第に浅くした中間底面部を有し、前記伝達キーが、前記中間底面部との間に連結体及びクラッチばねを保持する中凹部を有し、前記連結体が、前記中間底面部との接触を維持できるように前記クラッチばねによって付勢されており、前記摘み軸が前記入力トルクで回転させられる場合、前記クラッチが、前記伝達キーの周方向端部と前記キー溝の係合によって前記摘み軸と前記サムターン軸を連結し、前記逆入力トルクで前記サムターン軸が回転させられる場合、前記クラッチが、前記連結体と前記中間底面部の係合によって前記サムターン軸と前記摘み軸を連結するようになっているとよい。このようにすると、摘み軸の入力回転の際、箱錠側に接続されているサムターン軸の回転負荷が大きいことを利用して、サムターン軸に対する摘み軸の回転を起こし、その回転量を所定量にしてから摘み軸とサムターン軸を連結することができる一方、サムターン軸の逆入力回転の際、摘み軸の回転負荷が小さいことを利用して、クラッチばねの抵抗で連結体と中間底面部の係合を起こし、摘み軸に対するサムターン軸の位相を所定位相に保てるようにサムターン軸と摘み軸を連結することができる。
【発明の効果】
【００１５】
このように、この発明は、上記構成の採用により、防犯サムターンを屋内側から誤って不正操作を行った場合の操作性を良くすることができる。
【図面の簡単な説明】
【００１６】
【図１】（ａ）はこの発明の実施形態に係る防犯サムターンを示す縦断面図、（ｂ）は同（ａ）のＩ−Ｉ線の断面図
【図２】図１の摘み軸と摘み板を示す斜視図
【図３】図１の防犯サムターンの外観を示す正面図
【図４】図１のサムターン軸を示す斜視図
【図５】（ａ）は図１の押釦を押し込んだ状態を示す縦断面図、（ｂ）は同（ａ）のＩＩＩ−ＩＩＩ線の断面図
【図６】図１の防犯サムターンが室内側から不正操作された状態を示す断面図
【図７】図６の状態から押釦が押し込まれた場合を示す断面図
【図８】図７の状態から摘み軸が回転させられた場合を示す断面図
【発明を実施するための形態】
【００１７】
以下、この発明の一例としての実施形態に係る防犯サムターンを添付図面に基づいて説明する。
【００１８】
図１に示す防犯サムターンは、摘み１０と、ドア側に固定される固定筒２０と、摘み１０と連結されるサムターン軸３０と、サムターン軸３０と摘み１０間の回転伝達経路に設けられたクラッチとを備える。摘み１０とサムターン軸３０は、固定筒２０に対して同一軸線回りに回動可能に配置されている。以下、その軸線回りの円周方向を周方向といい、その軸線に沿った方向を軸方向といい、その軸線に直交する方向を径方向という。
【００１９】
この防犯サムターンは、図１に示す状態のとき、ドアが施錠された状態（図示省略）に対応し、この状態から摘み１０を９０°時計回りに回す操作により、ドアが解錠された状態になることを想定している。
【００２０】
固定筒２０は、ドア側に固定される台座２１と、台座２１に固定されたガイド筒２２とを有する。台座２１、ガイド筒２２は、それぞれ軸方向に貫通する筒状である。台座２１は、一般に、ドア内に設置された箱錠の錠ケース（図示省略）又は錠ケースに固定された電動モータユニットのケーシング（図示省略）に固定される。ガイド筒２２は、台座２１と同心に嵌合された状態で台座２１にねじ止めされている。
【００２１】
摘み１０は、固定筒２０に対する摘み１０の回動軸となる摘み軸１１と、摘み軸１１に固定された一対の摘み板１２と、摘み軸１１に揺動可能に支持された一対の押釦１３と、一対の押釦１３の揺動中心となる揺動軸１４と、一対の押釦１３を付勢する弾性体１５とを有する。摘み１０は、その全体が固定筒２０に対して一体に回動可能である。
【００２２】
サムターン軸３０は、台座２１の内側に挿入された接続軸部３１と、接続軸部３１の軸方向一端側（図１（ａ）中右側）に連なる有底筒状のフランジ部３２とを有する。サムターン軸３０は、その全体が固定筒２０に対して一体に回動可能である。サムターン軸３０は、その接続軸部３１において、前述の箱錠のシリンダカム（図示省略）又は電動モータユニットのロータ（図示省略）に接続される。
【００２３】
図１、図２に示すように、摘み１０の摘み軸１１は、その軸方向他端側（図１（ａ）中左側）において固定筒２０の内側に挿入され、軸方向一端側（図１（ａ）中右側）において固定筒２０の外に突出している。摘み軸１１は、軸方向一端側に突出した一対の脚部１１ａを有する。一対の脚部１１ａには、一対の摘み板１２の固定に用いる穴１１ｂが形成されている。一対の脚部１１ａに固定された一対の摘み板１２の合せ目は、一対の摘み板１２に係止された摘みカバー１６によって覆い隠されている。
【００２４】
また、一対の脚部１１ａには、一対の押釦１３の支持に用いる軸支穴１１ｃが形成されている。軸支穴１１ｃと、一対の押釦１３に形成された貫通孔とに揺動軸１４を挿入することにより、一対の押釦１３は、摘み軸１１に対して所定の待機位置とプッシュ位置との間を揺動可能に支持されている。
【００２５】
図１〜図３に示すように、押釦１３は、摘み板１２の釦窓１２ａから露出する操作部１３ａと、揺動軸１４に対して固定筒２０側に延びる揺動脚部１３ｂとを有する。摘み軸１１のうち、一対の脚部１１ａを繋ぐ基部には、一対の揺動脚部１３ｂを揺動させるための空間１１ｄが形成されている。
【００２６】
一対の押釦１３の操作部１３ａ間に弾性体１５が配置されている。弾性体１５は、圧縮コイルばねからなる。弾性体１５は、一対の押釦１３を待機位置に向けて付勢する。待機位置は、一対の操作部１３ａが一対の釦窓１２ａから突出し、かつ一対の揺動脚部１３ｂが閉じ合った状態となる位置に設定されている。プッシュ位置は、一対の操作部１３ａが最大限に押し込まれ、一対の揺動脚部１３ｂが最大限に開いた状態となる位置に設定されている。
【００２７】
図１、図４に示すようにサムターン軸３０のフランジ部３２は、固定筒２０と、摘み軸１１の座部との間に配置されている。フランジ部３２は、ガイド筒２２によって径方向に案内される。フランジ部３２のうち、ガイド筒２２と径方向に対向する環状壁の内側には、一対のキー溝３２ａが形成されている。キー溝３２ａは、径方向に深さをもって軸方向に延びている。キー溝３２ａは、周方向の中間部に位置する溝底から周方向両側に向かって深さを次第に浅くした中間底面部３２ｂを有する。キー溝３２ａの溝底は、キー溝３２ａの最深部である。中間底面部３２ｂは、Ｖ溝状になっており、キー溝３２ａの周方向の溝幅の中央部に位置する。キー溝３２ａの溝幅を規定する周方向両端部は、径方向に段差を成している。キー溝３２ａの周方向両端部と中間底面部３２ｂとの間は、周方向に沿った表面になっており、摘み軸１１を径方向に案内する部位となる。
【００２８】
図１、図２に示すように、摘み軸１１の基部には、一対の伝達キー１１ｅが形成されている。伝達キー１１ｅは、径方向に高さをもって軸方向に延びており、キー溝３２ａに挿入されている。伝達キー１１ｅの周方向両端部は、径方向に段差を成している。伝達キー１１ｅは、中間底面部３２ｂとの間に連結体４０及びクラッチばね４１を保持する中凹部１１ｆを有する。連結体４０は、球状体からなる。中凹部１１ｆは、連結体４０を径方向に案内する。クラッチばね４１は、連結体４０を径方向に付勢するコイルばねからなる。連結体４０は、中間底面部３２ｂとの接触を維持できるようにクラッチばね４１によって付勢されている。
【００２９】
前述のクラッチは、一対の伝達キー１１ｅと、一対のキー溝３２ａと、一対の連結体４０と、一対のクラッチばね４１とで構成されている。摘み軸１１が摘み板１２に与えられた入力トルクで回転させられる場合、伝達キー１１ｅの中凹部１１ｆに保持された連結体４０は、クラッチばね４１の付勢により、キー溝３２ａの中間底面部３２ｂに接触させられている。このとき、箱錠側に接続されているサムターン軸の回転負荷（箱錠側からの抵抗）が大きいため、クラッチばね４１が負けて、連結体４０が中間底面部３２ｂに対して周方向に滑る。摘み軸１１の入力回転量が所定量になると、伝達キー１１ｅの周方向端部がキー溝３２ａの周方向端部に係合する。この係合により、摘み軸１１とサムターン軸３０が連結される。
【００３０】
一方、サムターン軸３０が逆入力トルクで回転させられる場合、中間底面部３２ｂに対して連結体４０が周方向に滑っても、中間底面部３２ｂの深さ変化形状と連結体４０の球状に基づき、逆入力トルクは、連結体４０と中間底面部３２ｂの接触部で中凹部１１ｆに押し込む力に変換される。連結体４０が中凹部１１ｆに押し込まれる分、クラッチばね４１の付勢力（抵抗）が大きくなる。また、摘み軸１１の回転負荷が小さい。これらのことから、摘み軸１１に対するサムターン軸３０の逆入力回転量が前述の所定量相当になる前の時点で、クラッチばね４１の抵抗で連結体４０と中間底面部３２ｂが係合する。この係合により、サムターン軸３０と摘み軸１１が連結される。この係合は、サムターン軸３０の逆入力回転に対して摘み軸１１の従動回転が殆ど遅れない時点で起こるため、摘み軸１１に対するサムターン軸３０の位相を所定位相に保つことが可能である。サムターン軸３０の逆入力回転が停止した時点で摘み軸１１とサムターン軸３０の位相が図１（ａ）の中立位相からずれている場合、クラッチばね４１の付勢力は、連結体４０と中間底面部３２ｂの接触部において連結体４０を中間底面部３２ｂに対して位相ずれを解消する方向に滑らせる力に変換されるため、摘み軸１１とサムターン軸３０の位相が自ずと中立位相に戻される。
【００３１】
図１、図２に示すように、摘み軸１１の基部には、固定筒２０のガイド筒２２と径方向に対向する部位に一対の収容部１１ｇが形成されている。収容部１１ｇは、可動片４２及び復帰ばね４３を保持すると共に可動片４２を直線方向に案内する。その直線方向は、径方向であって、揺動軸１４に沿った方向に設定されている。収容部１１ｇは、その直線方向に空間１１ｄと連通している。また、収容部１１ｇは、フランジ部３２の環状壁に向かって開放している。収容部１１ｇは、フランジ部３２側の穴径を大きくし、空間１１ｄ側の穴径を小さくした段付き穴状になっている。
【００３２】
図１に示すように、可動片４２は、収容部１１ｇの小径穴内周面に対して直線方向に摺動可能な胴部と、収容部１１ｇの大径穴内周面に対して直線方向に摺動可能な頭部とを有する。復帰ばね４３は、可動片４２の頭部と、収容部１１ｇの段付き部との間に配置されている。復帰ばね４３は、コイルばねからなる。摘み軸１１が回転する際、可動片４２と復帰ばね４３は、収容部１１ｇによって連れ回される。
【００３３】
一対の押釦１３が待機位置にある場合、可動片４２は、復帰ばね４３により、収容部１１ｇから空間１１ｄへ突出していない状態に支持される。このとき、一対の揺動脚部１３ｂは、空間１１ｄのうち、一対の可動片４２の胴部の後端と直線方向に対向する位置にある。ここで、一対の押釦１３が押し込まれると、一対の揺動脚部１３ｂは、直線方向と直交する方向に揺動する。一対の押釦１３がプッシュ位置まで押し込まれることにより、図５に示すように、一対の揺動脚部１３ｂは、一対の可動片４２の胴部後端間から外れた位置まで移動させられる。これにより、空間１１ｄには、一対の可動片４２の後退に必要な作動空間が生じることになる。その作動空間は、空間１１ｄのうち、収容部１１ｇと直線方向に対向する領域である。図５の可動片４２は、その胴部が一対の揺動脚部１３ｂ間に位置するように作動空間へ後退させることが可能である。すなわち、可動片４２は、図１に示すように揺動脚部１３ｂと直線方向に突き合うロック位置と、図５に示す可動片４２の後方に形成された空間１１ｄの一部である作動空間に後退したロック解除位置との間を直線方向に移動可能に配置されている。復帰ばね４３は、可動片４２をロック位置に向けて付勢する。
【００３４】
可動片４２の頭部は、可動片４２の天面を成す。可動片４２の天面中央部は、窪み状であり、その窪み状の周縁から天面外周縁までの天面周囲部は、サムターン軸３０のフランジ部３２に対して周方向に移動できるように周方向に沿った面になっている。収容部１１ｇに対する可動片４２の脱け出しは、その天面周囲部とフランジ部３２との接触で阻止されている。
【００３５】
可動片４２は、その天面において係合子４４を支持する。係合子４４は、球状体からなる。図１、図４に示すように、フランジ部３２は、一対の係合子４４を周方向に保持する一対のポケット部３２ｃを有する。図１、図５に示すように、ポケット部３２ｃとロック位置の可動片４２は、前述の所定位相の場合に係合子４４を完全に収容可能な空間を形成する。ポケット部３２ｃの径方向長さは、係合子４４の球径よりも短い。係合子４４は、常に、ポケット部３２ｃから可動片４２側又は固定筒２０のガイド筒２２側へ部分的に食み出た状態となる。
【００３６】
ガイド筒２２は、係合子４４と周方向に係合可能な係合凹部２２ａを有する。係合凹部２２ａは、径方向に深さをもって周方向に延びる溝状である。係合凹部２２ａの周方向両端部は、周方向中央側に向かって次第に深くなる形状である。係合凹部２２ａの周方向端部と係合子４４が周方向に係合すると、係合凹部２２ａの深さ変化形状と係合子４４の球状に基づき、そのトルクは、その係合を解く方向の押し力（係合子４４を係合凹部２２ａから脱出させる方向に押す力）に変換される。
【００３７】
なお、摘み１０、固定筒２０、サムターン軸３０、一対の可動片４２、復帰ばね４３、係合子４４、クラッチは、いずれも１８０°回転対称に設けられている。
【００３８】
この防犯サムターンの動作を説明する。今、図１に示すように、一対の押釦１３が待機位置にある状態（施錠）で摘み１０の摘み板１２に入力トルクを与える不正操作（不正解錠操作）が行われる場合を考える。この場合、摘み１０の回動軸となる摘み軸１１が、図６に示すように、サムターン軸３０に対して、入力トルクに対応の周方向に回転する。その回転量が所定量になってから、クラッチが、摘み軸１１とサムターン軸３０を連結する。この所定量の回転の際、ポケット部３２ｃから可動片４２側に食み出た係合子４４があるときは、その可動片４２が、その係合子４４を可動片４２の天面中央部の縁付近で係合凹部２２ａ側へ蹴り出し、その係合子４４を可動片４２の天面周囲部で係合凹部２２ａに入り込ませた状態に支持することになる。一方、係合子４４がポケット部３２ｃから可動片４２側に食み出ていないときは、その可動片４２の天面周囲部が、その係合子４４の内方に滑り込み、その天面周囲部で係合凹部２２ａに入り込ませた状態に支持することになる。このように一対の可動片４２に支持された一対の係合子４４が一対の係合凹部２２ａに周方向に係合し、その係合箇所で入力トルクから変換された押し力が係合子４４に与えられる。このため、係合子４４が可動片４２を後方へ押すことになるが、可動片４２がロック位置で一対の揺動脚部１３ｂと直線方向に突き合うため、その押し力に抗してロック位置に維持される。このように係合が成立している状態では、固定筒２０の一対の係合凹部２２ａと、サムターン軸３０のポケット部３２ｃに周方向に保持された係合子４４と、摘み軸１１に周方向に保持された一対の可動片４２と、摘み軸１１に支持され弾性体１５で付勢された一対の揺動脚部１３ｂとが一体的に入力トルクに抵抗するため、摘み軸１１とサムターン軸３０の回転が阻止される。このように、固定筒２０と係合子４４の係合によって、摘み１０とサムターン軸３０の回転が阻止される。
【００３９】
図６に示す状態から一対の押釦１３が図５に示すプッシュ位置まで押し込まれることにより、図７に示すように、一対の揺動脚部１３ｂが、一対の可動片４２の胴部の後方から外れた位置に移動させられる。これにより、一対の可動片４２のロック解除位置への後退が許され、ひいては、一対の係合子４４の解除位置への移動が許される状態になる。この状態では、前述の押し力が係合子４４、可動片４２を介して復帰ばね４３に伝わるが、復帰ばね４３が負ける。このため、図８に示すように、可動片４２がロック解除位置へ後退させられて、係合子４４が解除位置に収容されて、固定筒２０と周方向に係合不可な状態になる。これにより、固定筒２０に対する摘み１０とサムターン軸３０の回転が許され、９０°まで回転させられる。
【００４０】
押釦１３が待機位置から押し込まれているが、プッシュ位置まで押し込まれていない不正操作の場合を考える。この場合も一対の揺動脚部１３ｂと一対の可動片４２が直線方向に突き合うことが可能なため、摘み軸１１とサムターン軸３０の回転が阻止されることになる。
【００４１】
押釦１３を図５に示すプッシュ位置まで押し込んだ状態から摘み１０を回し始める場合を考える。この場合、摘み１０を回し始め当初から、図５の状態で摘み板１２に入力トルクを与える正規操作が行われることになる。この場合、図５の状態から図７、図８の順に移行するだけであり、固定筒２０に対する摘み１０とサムターン軸３０の９０°回転が許されることになる。
【００４２】
図１の状態からサムターン軸３０の接続軸部３１に伝達された逆入力トルクでサムターン軸３０が回転させられる場合を考える。この場合、一対の揺動脚部１３ｂによって一対の可動片４２がロック位置に制限された状態のままであるが、クラッチは、摘み軸１１に対するサムターン軸３０の位相を所定位相に保てるようにサムターン軸３０と摘み軸１１を連結する。その所定位相の場合、図１に示すように、ポケット部３２ｃとロック位置の可動片４２は、係合子４４を解除位置に収容可能な空間を形成している。このため、可動片４２が後退できなくとも、所定位相に保たれたサムターン軸３０と摘み軸１１の連結回転の際に係合子４４が係合凹部２２ａと可動片４２間に噛み込むことがない。仮に、係合凹部２２ａに入り込んだ係合子４４があったとしても、その係合子４４は、ポケット部３２ｃに連れ回されて、係合凹部２２ａの周方向端部を滑って自ずと係合凹部２２ａから脱出し、解除位置に収容されるだけである。
【００４３】
また、解錠状態では、図８の状態から一対の係合子４４が上下に並ぶ位置（図１の状態に対して９０°時計回りに回転した位置）にあり、ガイド筒２２の係合凹部２２ａ間の円弧面と対向し、一対の可動片４２が図８の後退状態のままとなっている。この状態から摘みを反時計回りに９０°回すことにより、図１の摘み１０とサムターン軸３０の位相（施錠状態）に戻ることになる。
【００４４】
この防犯サムターンは、上述のようなものであり、不正操作を行った場合、摘み１０に与える入力トルクで固定筒２０と係合子４４の係合が成立しているとき、その係合箇所で入力トルクの一部が変換されて、当該係合を解く方向の押し力が係合子４４に与えられ、この状態から押釦１３をプッシュ位置まで押し込めば、その押し力で係合子４４が解除位置に移動させられて、固定筒２０に係合できなくなるため、固定筒２０と係合子４４の係合を解除するために摘み１０の回転を一旦戻す操作が不要である。このため、この防犯サムターンは、屋内側から誤って不正操作を行った場合の操作性を良くすることができる。
【００４５】
また、この防犯サムターンは、摘み１０の回動軸になる摘み軸１１と、押釦１３を待機位置に向けて付勢する弾性体１５とを備え、押釦１３が摘み軸１１に揺動可能に支持され、その揺動中心である揺動軸１４に対して固定筒２０側に揺動脚部１３ｂを有するものであり、押釦１３が待機位置にある場合、揺動脚部１３ｂが係合子４４を解除位置に移動させるために要する空間１１ｄの作動空間に位置し、押釦１３がプッシュ位置に押し込まれることにより、揺動脚部１３ｂが作動空間から外れた位置まで移動させられるので、押釦１３を利用して係合子４４の解除位置への移動を阻止することできる一方、押釦１３をプッシュ位置まで押し込むと、係合子４４の解除位置への移動を許すことができる。
【００４６】
また、この防犯サムターンは、正規操作の場合、入力トルクによる摘み１０の所定量回転の際、押し力で可動片４２がロック解除位置へ後退させられると共に可動片４２とポケット部３２ｃで形成された空間に係合子４４が解除位置に収容されるので、クラッチで連結された摘み１０とサムターン軸３０の９０°回転を許すことができる。
【００４７】
また、この防犯サムターンは、不正操作の場合、入力トルクによる摘み１０の所定量回転の際、ロック位置に制限された可動片４２で係合子４４の係合凹部２２ａへの突入を確実にして係合子４４と係合凹部２２ａの係合を実現し、摘み１０とサムターン軸３０の回転を阻止することができ、押釦１３をプッシュ位置まで押し込めば、可動片４２、係合子４４の後退を許して摘み１０とサムターン軸３０の９０°回転を許すことができる。
【００４８】
また、この防犯サムターンは、逆入力トルクでサムターン軸３０が回転させられる場合、クラッチで連結されたサムターン軸３０と摘み１０が所定位相に保たれ、可動片４２がロック位置に制限された状態であっても係合子４４が解除位置に収容されるので、サムターン軸３０と摘み１０の９０°回転を許すことができる。
【００４９】
また、この防犯サムターンは、可動片４２が往復する直線方向と直交する方向に揺動脚部１３ｂが揺動するため、押し力が作用する際にロック位置の可動片４２をロック解除位置へ後退させる力が揺動脚部１３ｂを揺動させる方向に作用しない。このため、この防犯サムターンは、弾性体１５の付勢力による揺動脚部１３ｂの移動阻止が容易になり、押釦１３の押し込み操作が重くなることを避けることができる。
【００５０】
また、この防犯サムターンは、摘み軸１１の入力回転の際、箱錠側に接続されているサムターン軸３０の回転負荷が大きいことを利用して、キー溝３２ａの中間底面部３２ｂに対して伝達キー１１ｅの中凹部１１ｆに保持された連結体４０を滑らせ、サムターン軸３０に対する摘み軸１１の回転を起こし、その回転量を所定量にしてからキー溝３２ａと伝達キー１１ｅの周方向端部同士の係合で摘み軸１１とサムターン軸３０を連結することができる一方、サムターン軸３０の逆入力回転の際、摘み軸１１の回転負荷が小さいことを利用して、クラッチばね４１の抵抗で連結体４０と中間底面部３２ｂの係合を起こし、摘み軸１１に対するサムターン軸３０の位相を所定位相に保てるようにサムターン軸３０と摘み軸１１を連結することができる。なお、突形状である伝達キー１１ｅを摘み軸１１に設けることは、収容部１１ｇや空間１１ｄを形成する摘み軸１１の肉量を多くし、機械的強度を確保することに有利である。
【００５１】
また、この防犯サムターンは、係合子４４が球状体からなり、係合凹部２２ａの周方向両端部が周方向中央側に向かって次第に深くなる形状であるので、入力トルクを押し力に変換することができると共に、滑らかに係合子４４を係合凹部２２ａから脱出させることができる。
【００５２】
なお、今回開示された実施形態はすべての点で例示であって制限的なものではないと考えられるべきである。例えば、可動片を省略し、揺動脚部が係合子を直接に受けるようにしてもよい。したがって、本発明の範囲は特許請求の範囲によって示され、特許請求の範囲と均等の意味および範囲内でのすべての変更が含まれることが意図される。
【符号の説明】
【００５３】
１０  摘み
１１  摘み軸
１１ｄ  空間
１１ｅ  伝達キー
１１ｇ  収容部
１１ｆ  中凹部
１３  押釦
１３ｂ  揺動脚部
１４  揺動軸
１５  弾性体
２０  固定筒
２２ａ  係合凹部
３０  サムターン軸
３２ａ  キー溝
３２ｂ  中間底面部
３２ｃ  ポケット部
４０  連結体
４１  クラッチばね
４２  可動片
４３  復帰ばね
４４  係合子
【図１】
2020139335.tif 000003
【図２】
2020139335.tif 000004
【図３】
2020139335.tif 000005
【図４】
2020139335.tif 000006
【図５】
2020139335.tif 000007
【図６】
2020139335.tif 000008
【図７】
2020139335.tif 000009
【図８】
2020139335.tif 000010